(57)【要約】【課題】  アクセス数の高いコンテンツに関連した有用なコンテンツを強調でき、ユーザのコンテンツ探索の視野を広げる。【解決手段】  本発明は、記憶手段に蓄積されているコンテンツに対するアクセス情報に、アクセスランキング情報を生成するための統合アクセスランキング情報生成ルールを適用することにより、アクセスランキング情報を生成してアクセスランキング記憶手段に格納し、アクセスランキング情報に、入力されたコンテンツ情報の詳細度を適用して表示する、【選択図】  図１
2006004278.tif 000002
【特許請求の範囲】
【請求項１】
複数のコンテンツ情報を同時に表示する機能と、さらに、表示しているコンテンツ情報の詳細度に応じて、同時表示できるコンテンツ数の異なるランキング情報を表示する機能を有する装置における、アクセス状況を表示するリアルタイムアクセス情報表示方法において、
記憶手段に蓄積されているコンテンツに対するアクセス情報を読み出して、アクセスランキング情報を生成するための統合アクセスランキング情報生成ルールを適用することにより、アクセスランキング情報を生成してアクセスランキング記憶手段に格納し、
前記アクセスランキング情報に、入力されたコンテンツ情報の詳細度を適用して表示手段に表示する、
ことを特徴とするリアルタイムアクセス情報表示方法。
【請求項２】
前記統合アクセスランキング情報生成ルールを前記アクセス情報に適用することにより、コンテンツ毎のアクセス数の多い順にソートした前記１次アクセスランキング情報を生成して、１次アクセスランキング記憶手段に格納し、
前記統合アクセスランキング情報生成ルールを前記１次アクセスランキング情報に適用することにより、各コンテンツに対し、該コンテンツの中心として複数の領域で空間を区切り、ユーザが該コンテンツにアクセスする前にアクセスしたコンテンツの位置の領域毎にコンテンツ数をカウントして前記第２のアクセスランキング情報を生成し、２次アクセスランキング記憶手段に格納する請求項１記載のリアルタイムアクセス情報表示方法。
【請求項３】
前記表示手段に表示するコンテンツ情報の詳細度が最大の時に表示するランキング情報量と、詳細度が最小の時に表示するランキング情報量に基づいて、該コンテンツ情報の詳細度の変化に応じて表示するランキング情報を決定する請求項１記載のリアルタイムアクセス情報表示方法。
【請求項４】
前記第２のアクセスランキング情報に基づいて、前記ユーザがコンテンツにアクセスする前にアクセスしたコンテンツの位置領域から、アクセス数の高いコンテンツへの当該ユーザの移動軌跡を矢印イメージを用いて表示する請求項２または、３記載のリアルタイムアクセス情報表示方法。
【請求項５】
複数のコンテンツ情報を同時に表示する機能と、さらに、表示しているコンテンツ情報の詳細度に応じて、同時表示できるコンテンツ数の異なるランキング情報を表示する機能を有し、アクセス状況を表示するリアルタイムアクセス情報表示装置であって、
コンテンツに対するアクセス情報を蓄積するコンテンツアクセス記憶手段と、
前記コンテンツアクセス記憶手段に蓄積されているコンテンツに対するアクセス情報を読み出して、アクセスランキング情報を生成するための統合アクセスランキング情報生成ルールを適用することにより、アクセスランキング情報を生成してアクセスランキング記憶手段に格納するランキング情報生成手段と、
前記アクセスランキング情報に、入力されたコンテンツ情報の詳細度を適用して表示手段に表示するランキング情報表示手段と、
を有することを特徴とするリアルタイムアクセス情報表示装置。
【請求項６】
前記ランキング情報生成手段は、
前記統合アクセスランキング情報生成ルールを前記アクセス情報に適用することにより、コンテンツ毎のアクセス数の多い順にソートした１次アクセスランキング情報を生成して、前記アクセスランキング記憶手段の１次アクセスランキング記憶手段に格納する手段と、
前記統合アクセスランキング情報生成ルールを前記１次アクセスランキング情報に適用することにより、各コンテンツに対し、該コンテンツの中心として複数の領域で空間を区切り、ユーザがそのコンテンツにアクセスする前にアクセスしたコンテンツの位置の領域毎にコンテンツ数をカウントして前記第２のアクセスランキング情報を生成して、前記アクセスランキング記憶手段の２次アクセスランキング記憶手段に格納する手段と、を含む請求項５記載のリアルタイムアクセス情報表示方法。
【請求項７】
前記ランキング情報表示手段は、
前記表示手段に表示するコンテンツ情報の詳細度が最大の時に表示するランキング情報量と、詳細度が最小の時に表示するランキング情報量に基づいて、該コンテンツ情報の詳細度の変化に応じて表示するランキング情報を決定する手段を含む請求項５記載のリアルタイムアクセス情報表示装置。
【請求項８】
前記ランキング情報表示手段は、
前記第２のアクセスランキング情報に基づいて、前記ユーザがコンテンツにアクセスする前にアクセスしたコンテンツの位置領域から、アクセス数の高いコンテンツへの当該ユーザの移動軌跡を矢印イメージを用いて表示する手段を含む請求項６または、７記載のリアルタイムアクセス情報表示装置。
【請求項９】
複数のコンテンツ情報を同時に表示する機能と、さらに、表示しているコンテンツ情報の詳細度に応じて、同時表示できるコンテンツ数の異なるランキング情報を表示する機能を有する装置における、アクセス状況を表示するリアルタイムアクセス情報表示プログラムであって、
前記請求項１乃至４記載のリアルタイムアクセス情報表示方法の実現に用いられる処理をコンピュータに実行させることを特徴とするリアルタイムアクセス情報表示プログラム。
【発明の詳細な説明】
【技術分野】
【０００１】
本発明は、リアルタイムアクセス情報表示方法及び装置及びプログラムに係り、特に、コンテンツと人の存在を可視化して重ね合わせたコンテンツ空間を用いて、実ユーザのコンテンツアクセス状況を表示し、ユーザに表示しているコンテンツ空間の詳細度に応じてアクセス状況の詳細度を変化させてユーザをコンテンツへ導くナビゲーションを行なうためのリアルタイムアクセス情報表示方法及び装置及びプログラムに関する。
【背景技術】
【０００２】
従来、コンテンツのアクセス情報の可視化に関して数多くの手法が実現されている。例えば、単一のホームページを対象としたアクセス情報の可視化については、ホームページにアクセスカウンタを用意しておき、ユーザのホームページへのアクセスに応じてカウンタをインクリメントする手法が広く知られている。
【０００３】
また、数多くのホームページを対象としたランキング表示として、ホームページへのアクセス数に応じてランキング度を計算し、ランキング順にリスト型で表示している。
【０００４】
また、リスト型以外のランキング表示方法として、２次元のコンテンツ空間上にランキング情報を重畳して表示する方法がある（例えば、非特許文献１参照）。
【非特許文献１】日本電信電話株式会社「World Wide Navi」(http://agnv-qvsv1.nta.co-jp/WWW_TOP.htm)
【発明の開示】
【発明が解決しようとする課題】
【０００５】
しかしながら、上記のアクセス情報可視化手法では、アクセスの高いコンテンツのみが強調されるため、その後もアクセス数の低いコンテンツとの格差が大きくなってしまい、ユーザにとっては有用なコンテンツの数が少ないことを示す可視化方法となる問題がある。これらのアクセス数の多いコンテンツは、他のコンテンツを経由してたくさんのユーザが到達しており、その経由したコンテンツもアクセス数の高いコンテンツと同様に有用であると考えられる。しかし、アクセス数だけの表現は、アクセス数の高いコンテンツへ到着するのに有用となったコンテンツの強調ができないという課題がある。
【０００６】
本発明は、上記の点に鑑みなされたもので、アクセス数の高いコンテンツに関連した有用なコンテンツを強調でき、ユーザのコンテンツ探索の視野を広げることが可能なリアルタイムアクセス情報表示方法及び装置及びプログラムを提供することを目的とする。
【課題を解決するための手段】
【０００７】
図１は、本発明の原理を説明するための図である。
【０００８】
本発明（請求項１）は、複数のコンテンツ情報を同時に表示する機能と、さらに、表示しているコンテンツ情報の詳細度に応じて、同時表示できるコンテンツ数の異なるランキング情報を表示する機能を有する装置における、アクセス状況を表示するリアルタイムアクセス情報表示方法において、
記憶手段に蓄積されているコンテンツに対するアクセス情報を読み出して（ステップ１）、アクセスランキング情報を生成するための統合アクセスランキング情報生成ルールを適用することにより（ステップ２）、アクセスランキング情報を生成して（ステップ３）、アクセスランキング記憶手段に格納し（ステップ４）、
アクセスランキング情報に、入力されたコンテンツ情報の詳細度を適用して（ステップ５）表示手段に表示する（ステップ６）。
【０００９】
また、本発明（請求項２）は、統合アクセスランキング情報生成ルールをアクセス情報に適用することにより、コンテンツ毎のアクセス数の多い順にソートした１次アクセスランキング情報を生成して、１次アクセスランキング記憶手段に格納し、
統合アクセスランキング情報生成ルールを１次アクセスランキング情報に適用することにより、各コンテンツに対し、該コンテンツの中心として複数の領域で空間を区切り、ユーザが該コンテンツにアクセスする前にアクセスしたコンテンツの位置の領域毎にコンテンツ数をカウントして第２のアクセスランキング情報を生成し、２次アクセスランキング記憶手段に格納する。
【００１０】
また、本発明（請求項３）は、表示手段に表示するコンテンツ情報の詳細度が最大の時に表示するランキング情報量と、詳細度が最小の時に表示するランキング情報量に基づいて、該コンテンツ情報の詳細度の変化に応じて表示するランキング情報を決定する。
【００１１】
また、本発明（請求項４）は、第２のアクセスランキング情報に基づいて、前記ユーザがコンテンツにアクセスする前にアクセスしたコンテンツの位置領域から、アクセス数の高いコンテンツへの当該ユーザの移動軌跡を、矢印イメージを用いて表示する。
【００１２】
図２は、本発明の原理構成図である。
【００１３】
本発明（請求項５）は、複数のコンテンツ情報を同時に表示する機能と、さらに、表示しているコンテンツ情報の詳細度に応じて、同時表示できるコンテンツ数の異なるランキング情報を表示する機能を有し、アクセス状況を表示するリアルタイムアクセス情報表示装置であって、
コンテンツに対するアクセス情報を蓄積するコンテンツアクセス記憶手段１０と、
コンテンツアクセス記憶手段１０に蓄積されているコンテンツに対するアクセス情報を読み出して、アクセスランキング情報を生成するための統合アクセスランキング情報生成ルールを適用することにより、アクセスランキング情報を生成してアクセスランキング記憶手段に格納するランキング情報生成手段３と、
アクセスランキング情報に、入力されたコンテンツ情報の詳細度を適用して表示手段２０に表示するランキング情報表示手段１と、を有する。
【００１４】
また、本発明（請求項６）のランキング情報生成手段３は、
統合アクセスランキング情報生成ルールをアクセス情報に適用することにより、コンテンツ毎のアクセス数の多い順にソートした１次アクセスランキング情報を生成して、ランキング記憶手段１２の１次アクセスランキング記憶手段に格納する手段と、
統合アクセスランキング情報生成ルールを１次アクセスランキング情報に適用することにより、各コンテンツに対し、該コンテンツの中心として複数の領域で空間を区切り、ユーザがそのコンテンツにアクセスする前にアクセスしたコンテンツの位置の領域毎にコンテンツ数をカウントして第２のアクセスランキング情報を生成してアクセスランキング記憶手段１２の２次アクセスランキング記憶手段に格納する手段と、を含む。
【００１５】
また、本発明（請求項７）のランキング情報表示手段１は、
表示手段２０に表示するコンテンツ情報の詳細度が最大の時に表示するランキング情報量と、詳細度が最小の時に表示するランキング情報量に基づいて、該コンテンツ情報の詳細度の変化に応じて表示するランキング情報を決定する手段を含む。
【００１６】
また、本発明（請求項８）は、ランキング情報表示手段において、
第２のアクセスランキング情報に基づいて、ユーザがコンテンツにアクセスする前にアクセスしたコンテンツの位置領域から、アクセス数の高いコンテンツへの当該ユーザの移動軌跡を矢印イメージを用いて表示する手段を含む。
【００１７】
本発明（請求項９）は、複数のコンテンツ情報を同時に表示する機能と、さらに、表示しているコンテンツ情報の詳細度に応じて、同時表示できるコンテンツ数の異なるランキング情報を表示する機能を有する装置における、アクセス状況を表示するリアルタイムアクセス情報表示プログラムであって、
請求項１乃至３記載のリアルタイムアクセス情報表示方法の実現に用いられる処理をコンピュータに実行させるプログラムである。
【発明の効果】
【００１８】
上記のように、本発明によれば、コンテンツサムネイルを配置した多次元の空間内で、アクセス数の高いコンテンツへ到着したユーザの移動軌跡を、アクセスランキング情報を用いて表現できる。これにより、アクセス数の高いコンテンツに関連した有用なコンテンツを強調でき、ユーザのコンテンツ探索の視野が広がる効果がある。
【発明を実施するための最良の形態】
【００１９】
以下、図面と共に本発明の実施の形態を説明する。
【００２０】
図３は、本発明の一実施の形態におけるリアルタイムアクセス情報表示装置の構成を示す。
【００２１】
同図に示す装置は、ランキング情報表示部１、コンテンツ情報配信部２、ランキング情報生成部３、ランキング情報記憶部４、前コンテンツアクセス記憶部５、コンテンツ可視化情報記憶部６、コンテンツ情報記憶部７、１次アクセスランキング記憶部８、２次アクセスランキング記憶部９及びコンテンツアクセス記憶部１０から構成される。
【００２２】
ランキング情報表示部１は、ユーザの表示装置（図示せず）及び入力装置（図示せず）とのインタフェース手段及び、コンテンツ情報配信部２、リアルタイムアクセス情報記憶部４、前コンテンツアクセス記憶部５、コンテンツ可視化情報記憶部６との情報のやり取りを行なう。また、外部（例えば、オペレータ）から入力された多次元空間の詳細度及びランキング上位件数Ｎを保持する。
【００２３】
コンテンツ情報配信部２は、コンテンツ情報記憶部７内に記憶されている全てのコンテンツ情報をランキング情報表示部１及びランキング情報生成部３へ送信する。また、コンテンツ情報記憶部７から取得したコンテンツ情報を保持する。
【００２４】
ランキング情報生成部３は、コンテンツアクセス記憶部１０から取得したコンテンツアクセス情報から、アクセス日時を参照し、コンテンツＩＤ毎のアクセス数を集計し、コンテンツＩＤ毎の１次ランキング情報を作成し、１次アクセスランキング記憶部８に格納する。また、ランキング情報生成部３は、１次アクセスランキング記憶部８の１次アクセスランキング情報のコンテンツ全てに対して、コンテンツアクセス記憶部１０のコンテンツアクセス情報から所定のアクセス日時までのアクセスコンテンツＩＤ、アクセス前コンテンツＩＤを抽出し、抽出した全てのアクセス前コンテンツがコンテンツＩＤの位置関係（領域）を計算し、領域に属するコンテンツ数をカウントし、２次アクセスランキングを生成し、２次アクセスランキング記憶部９に格納する。
【００２５】
ランキング情報記憶部４は、ランキング情報表示部１から転送されたユーザが選択した（アクセスした）コンテンツＩＤ、選択日時及び過去に遡り、最も最近選択したコンテンツのコンテンツＩＤ（アクセス前コンテンツＩＤ）を取得し、コンテンツアクセス記憶部１０に格納する。
【００２６】
前コンテンツアクセス記憶部５は、初期状態において“ＮＵＬＬ”であり、ランキング情報表示部１から取得した、アクセス前コンテンツＩＤを格納する。
【００２７】
コンテンツ可視化情報記憶部６は、表示手段に表示するサムネイル及びサムネイルのＵＲＬが記憶される。
【００２８】
コンテンツ情報記憶部７は、コンテンツ情報が格納されており、コンテンツ情報としては、各コンテンツを識別するのに必要なコンテンツＩＤ、コンテンツのタイトル名であるコンテンツタイトル、サムネイルの実体へ場所を示すサムネイルＵＲＬ、コンテンツサムネイルを２次元上に配置する座標である空間Ｘ座標、空間Ｙ座標の５項目がある。
【００２９】
１次アクセスランキング記憶部８は、ランキング情報生成部３で生成されたランキング順位とアクセスコンテンツＩＤからなる１次アクセスランキングを格納する。
【００３０】
２次アクセスランキング記憶部９は、ランキング情報生成部３で生成されたらランキング順位、コンテンツＩＤ，複数の領域からなる２次アクセスランキングを格納する。
【００３１】
コンテンツアクセス記憶部１０は、過去のアクセス情報を格納しており、過去にユーザにより選択されたコンテンツのコンテンツＩＤを追加格納する。
【００３２】
次に、上記の構成における動作を説明する。
【００３３】
図４は、本発明の一実施の形態における動作のフローチャートである。
【００３４】
ステップ１０１）  予め、ランキング情報の集計対象とする過去への時間Ｔ、ランキング情報を詳細に表示する多次元空間の詳細度Ｘ，表示するランキング上位件数Ｎをランキング情報表示部１及びランキング情報生成部３に設定しておく。
【００３５】
また、予めコンテンツに対するアクセス情報がコンテンツアクセス記憶部１０に用意されており、そのアクセス情報は、アクセス日時、アクセスしたコンテンツのコンテンツＩＤ、一つ前にアクセスしたコンテンツのコンテンツＩＤから構成される。
【００３６】
ステップ１０２）  ランキング情報生成部３において、現在時刻からステップ１０１で設定した時間Ｔの間のコンテンツ間のアクセス情報をコンテンツアクセス記憶部１０から取得し、各コンテンツに対するアクセス数をカウントし、そのカウント数に基づいてコンテンツを昇順にソートした１次アクセスランキングリスト（ランキング順位、コンテンツＩＤ）を生成し、１次アクセスランキング記憶部８に格納する。
【００３７】
ステップ１０３）  ランキング情報生成部３において、１次アクセスランキング記憶部８に格納されている１次アクセスランキングリスト内のコンテンツで上位Ｎ件の各コンテンツに対し、コンテンツアクセス記憶部１０のアクセス情報内の当該コンテンツに対するアクセス前のコンテンツと、アクセスしているコンテンツとの位置関係を以下の手順で算出する。
【００３８】
手順１）対象とするランキング上位のコンテンツ（空間Ｘ座標ｘ１、空間Ｙ座標ｙ１）から、アクセス前コンテンツ（空間Ｘ座標ｘ２、空間Ｙ座標ｙ２）へのベクトルＶ（ｖｘ，ｖｙ）を算出する。
【００３９】
Ｖ（ｖｘ，ｖｙ）＝（ｘ２−ｘ１，ｙ２−ｙ１）
手順２）以下の（ｉ)〜（ｉｖ）を評価する。
【００４０】
(i) ｙ≦ｘかつｙ≧−ｘであれば領域Ａ
(ii) ｙ≧かつｙ≧−ｘであれば領域Ｂ
(iii) ｙ≧かつｙ≦−ｘであれば領域Ｃ
(iv) ｙ≦ｘかつｙ≦−ｘであれば領域Ｄ
上記の手順により得られた領域を、各コンテンツの各領域（領域Ａ〜Ｄ）へカウントし、ランキング上位Ｎ件の各コンテンツのコンテンツＩＤと各領域へのカウント数を対にした２次アクセスランキング情報リストを作成し、２次アクセスランキング記憶部９に格納する。
【００４１】
なお、本発明では、ステップ１０２〜ステップ１０３の処理を統合アクセスランキング情報生成ルールと呼ぶ。なお、この統合アクセスランキング情報生成ルール（プログラム）をルール記憶手段として、記憶媒体に格納しておくことも可能である。
【００４２】
ステップ１０４）  多次元空間に表示する際は、ユーザの画面内に表示されているコンテンツに前述のランキング上位に含まれるコンテンツに対し、表示している多次元空間の詳細度に応じて、以下の方法でランキング上位を示すイメージを表示する。空間の詳細度がＸ以下の場合はステップ１０５に移行し、詳細度がＸより大きい場合にはステップ１０６へ移行する。
【００４３】
ステップ１０５）  表示しているコンテンツ空間の詳細度が予め設定されたコンテンツの空間の詳細度Ｘ以下であれば、表示している画面内に含まれるランキング上位のコンテンツ全てに対し、次の処理を行なう。
【００４４】
ランキング情報生成部３が２次アクセスランキング記憶部９から対象とするコンテンツの２次アクセスランキング情報を検索し、コンテンツ情報配信部２を介してランキング情報表示部１に渡す。ランキング情報表示部１は、最もアクセス前コンテンツ数が多い領域を選択し、表１に示すようなルールを用いてイメージ画像を配置する。
【００４５】
【表１】
2006004278.tif 000003
ステップ１０６）  表示しているコンテンツ空間の詳細度が、予め設定されたコンテンツ空間の詳細度Ｘより大きい場合には、表示している画面内に含まれるランキング上位のコンテンツ全てに対し、次の処理を行なう。
【００４６】
ランキング情報生成部３が２次アクセスランキング記憶部９から対象とするコンテンツの２次アクセスランキング情報を検索し、コンテンツ情報配信部２を介してランキング情報表示部１に渡す。ランキング情報表示部１は、表１のようなルールでサムネイルの四方にイメージ画像を配置する。
【実施例】
【００４７】
以下、図面と共に本発明の実施例を説明する。
【００４８】
以下の実施例では、前述の図４のフローチャートに基づいて説明する。
【００４９】
ステップ１０１）ランキング情報を生成する場合に、現在時刻から過去１０分前に遡ったアクセス情報を利用するものとする。
【００５０】
また、本実施例では、コンテンツサムネイルを配置する空間の次元数を２次元とし、２次元空間に対する詳細度を、２次元空間に対するズームイン・ズームアウトで決定する。詳細度の単位は、コンテンツサムネイルを配置した空間すべてが１画面に見える状態をズームレベル１、ズームインしていくと２次元の空間を拡大するものとし、その拡大率を詳細度としてズームレベルとする。
【００５１】
また、ユーザがコンテンツサムネイルを選択した行為を、アクセスした行為と見做す。
【００５２】
本実施例では、事前に多次元空間に対する詳細度をズームレベル「１８」、表示するランキング上位件数Ｎを「５」と設定する。
【００５３】
前コンテンツアクセス記憶部５の初期状態は、“ＮＵＬＬ”が格納されているものとする。
【００５４】
ステップ１０２）  まず、始めに、ユーザがコンテンツを選択した時の処理について説明する。
【００５５】
コンテンツ情報記憶部７内には、表２に示すようなコンテンツ情報のように、各コンテンツを識別するのに必要なコンテンツＩＤ，コンテンツのタイトル名であるコンテンツタイトル、サムネイルの実体への場所を示すサムネイルＵＲＬ、コンテンツサムネイルを２次元上に配置する座標である空間Ｘ座標、空間Ｙ座標の５項目から構成される情報が複数記憶されている。
【００５６】
【表２】
2006004278.tif 000004
（１）コンテンツ情報配信部２は、コンテンツ情報記憶部７内に記憶されている全てのコンテンツ情報をランキング情報表示部１に送信する。
【００５７】
（２）ランキング情報表示部１は、コンテンツ情報配信部２から受信したコンテンツ情報を各コンテンツの空間Ｘ座標、空間Ｙ座標に従ってサムネイルを画面に配置する。ランキング情報表示部１は、コンテンツ情報内のサムネイルＵＲＬ先にあるサムネイルをコンテンツ可視化情報記憶部６から取得して配置する。図５にランキング情報表示部１が表示手段に表示するコンテンツ配置画面を示す。同図には、表２のコンテンツＩＤが「ＦＦＦＦ５５３」のコンテンツを配置した様子を示している。
【００５８】
（３）ユーザが表示手段に表示されたサムネイルを選択すると、ランキング情報表示部１は、選択日時、選択したコンテンツのコンテンツＩＤと前コンテンツアクセス記憶部５内に記憶されている表３に示すようなコンテンツＩＤをランキング情報記憶部４へ送信する。ここでは、ユーザが「２００４年１月３日２０時４１分２秒」に、画面内に表示されている「ＦＦＦＦ５５３」のコンテンツを選択したものとし、ランキング情報記憶部４へ、選択日時として「2004/01/03 20:41:02」、選択したコンテンツＩＤとして「ＦＦＦＦ５５３」、過去に遡り最も最近選択したコンテンツＩＤとして「ＦＦＦＦ４６３」を送信するものとする。
【００５９】
【表３】
2006004278.tif 000005
（４）次に、ランキング情報表示部１は、前コンテンツアクセス記憶部５に選択したコンテンツＩＤである「ＦＦＦＦ５５３」を格納する。
【００６０】
（５）ランキング情報記憶部４は、ユーザの選択したコンテンツの選択日時、コンテンツＩＤと過去に選択したコンテンツのコンテンツＩＤとをランキング情報表示部１から受信すると、受信したコンテンツＩＤをコンテンツアクセス記憶部１０に追加格納する。本実施例では、ランキング情報記憶部４がランキング情報表示部１より受信した、選択日時の「2004/01/03 20:41:02」、選択したコンテンツＩＤの「ＦＦＦＦ５５３」、過去に遡り最も最近選択したコンテンツＩＤの「ＦＦＦＦ４６３」を追加格納するものとする。
【００６１】
（６）ランキング情報生成部３では、コンテンツアクセス記憶部１０内にある表４のようなコンテンツアクセス情報から、アクセス日時を参照し、現在時刻から１０分前までの全てのコンテンツアクセス情報に対して、コンテンツＩＤ毎にアクセス数を集計し、コンテンツＩＤ毎の１次ランキング情報を作成する。本実施例では、表５のような１次ランキング情報を作成したものとし、このランキング情報を１次アクセスランキング記憶部８に格納する。
【００６２】
【表４】
2006004278.tif 000006
【００６３】
【表５】
2006004278.tif 000007
ステップ１０３）  次に、ランキング情報生成部３は、１次アクセスランキング情報に基づき、ランキング内のそれぞれのコンテンツに対し、そのコンテンツと前アクセスのコンテンツの位置関係における分布情報を生成する。
【００６４】
本実施例では、表５内のランキング１位である「ＦＦＦＦ２１５」の分布情報を作成する例について示す。コンテンツアクセス記憶部１０にある表４のようなコンテンツアクセス情報から、アクセスに日時が１０分前までのアクセスコンテンツＩＤ「ＦＦＦＦ２１５」の、アクセス前コンテンツＩＤを全て抽出する。抽出した全てのアクセス前コンテンツがコンテンツＩＤ「ＦＦＦＦ２１５」の上下左右のどこに位置するかを計算する。
【００６５】
位置関係を算出する場合には、「ＦＦＦＦ２１５」とそれぞれのアクセス前コンテンツに対するベクトルを算出する。表４のコンテンツアクセス記憶部９の情報を参照すると、「ＦＦＦＦ２１５」に関しては、アクセス前コンテンツとして「ＦＦＦＦ８３４」「ＦＦＦＦ７２１」「ＦＦＦ２４３」の３つが存在する。この３つのコンテンツに対してランキング情報生成部３が、コンテンツ情報配信部２を介してコンテンツ情報記憶部７にアクセスし、「ＦＦＦＦ８３４」「ＦＦＦＦ７２１」「ＦＦＦＦ２４３」のコンテンツ情報を参照する。ここで、本発明では、図６のようにランキング上位のコンテンツを中心として斜め４５度の境界線を引き、アクセス前コンテンツがどの領域に属するかを計算する。このコンテンツ情報が表６，７，８，９のような場合、コンテンツ情報の空間座標を参照して以下のような方法でアクセス前コンテンツが属する領域を計算する。
【００６６】
【表６】
2006004278.tif 000008
【００６７】
【表７】
2006004278.tif 000009
【００６８】
【表８】
2006004278.tif 000010
【００６９】
【表９】
2006004278.tif 000011
＜アクセス前コンテンツが属する領域の計算＞
手順１．対象とするランキング上位のコンテンツ（空間Ｘ座標ｘ１、空間Ｙ座標ｙ１）から、アクセス前コンテンツ（空間Ｘ座標ｘ２、空間Ｙ座標ｙ２）へのベクトルＶ（ｖｘ，ｖｙ）を算出する。
【００７０】
Ｖ（ｖｘ，ｖｙ）＝（ｘ２−ｘ１，ｙ２−ｙ１）
手順２．以下の（ｉ）〜（ｉｖ）を評価する。
【００７１】
(i)ｙ≦ｘかつｙ≧−ｘであれば領域Ａ
(ii) ｙ≧かつｙ≧−ｘであれば領域Ｂ
(iii) ｙ≧かつｙ≦−ｘであれば領域Ｃ
(iv) ｙ≦ｘかつｙ≦−ｘであれば領域Ｄ
ここで、ランキング上位にあるコンテンツ「ＦＦＦＦ２１５」に対する「ＦＦＦＦ８３４」の位置関係を算出する例を示すと、上記手順１において、
V(vx,vy)=(3.1464-0.0432, 0.0189-0.0092)=(3.1032, 0.0097)
となり、このベクトル値を用いて、上記手順２を評価すると、（ｉ）に該当するため、「ＦＦＦＦ８３４」は「ＦＦＦＦ２１５」に対して領域Ａに位置することがわかる。同様の手順で「ＦＦＦＦ７２１」、「ＦＦＦＦ２４８」の位置関係を算出すると、それぞれ領域Ｂ，領域Ｄに位置していることがわかる。このアクセスランキング上位コンテンツに対するアクセス前コンテンツの位置を算出したら、表１０の２次アクセスランキング記憶部９のアクセスランキングリストのようにそれぞれの領域に属するコンテンツ数をカウントする。
【００７２】
【表１０】
2006004278.tif 000012
これらの処理を表４の１次アクセスランキングのコンテンツ全てに対して行い、表１０のような２次アクセスランキングを作成する。
【００７３】
ステップ１０４）次に、ユーザがランキング情報表示部１にアクセスした際の処理について説明する。
【００７４】
コンテンツ情報配信部２から、ランキング情報表示部１へコンテンツアクセスのランキング情報として表１０のようなランキング情報を送信する。
【００７５】
ここで、与えられている空間の詳細度がＸ以下の場合には、ステップ１０５に移行し、Ｘより大きい場合にはステップ１０６に移行する。
【００７６】
ステップ１０５）  ランキング情報表示部１において、図７のように２次元空間内にズームインした時、ズーム率“１２”の場合は、ランキング上位５件に入っているコンテンツＩＤが「ＦＦＦＦ２１５」「ＦＦＦＦ５６０」「ＦＦＦＦ９３４」「ＦＦＦＦ５２３」「ＦＦＦＦ８７１」のコンテンツサムネイルには、図７のような矢印イメージがサムネイルの傍らに表示される。ここで、この矢印イメージは、「ＦＦＦＦ２１５」「ＦＦＦＦ５６０」「ＦＦＦＦ９３４」「ＦＦＦＦ５２３」「ＦＦＦＦ８７１」のそれぞれについて、表１０に示す２次アクセスランキングリスト内の各領域にアクセス前コンテンツの数が最も多い領域を選択し、選択した領域に対し、表１のような矢印イメージ配置ルールに従って、イメージを配置する。配置した例を図７に示している。
【００７７】
ステップ１０６）  さらにズームインしていき、図８のように２次元空間のズーム率が“１９”になると、コンテンツＩＤが「ＦＦＦＦ２１５」「ＦＦＦＦ５２３」「ＦＦＦＦ９３４」のコンテンツは、より多くの矢印イメージが表示され、アクセス前コンテンツの数の多さに応じて矢印イメージの大きさを変える。図８では、コンテンツＩＤが「ＦＦＦＦ２１５」「ＦＦＦＦ５２３」「ＦＦＦＦ９３４」のコンテンツに、表１０の２次アクセスランキング記憶部９のアクセスランキングリストに従って、それぞれ四方に矢印イメージを配置した例を示している。
【００７８】
この矢印イメージは、ユーザがアクセスする前にいた場所（サムネイル）からアクセスしたサムネイルへの移動軌跡を表現している。
【００７９】
上記の処理の後、ユーザが入力手段からランキング情報表示部１に対して、２次元空間内のコンテンツサムネイルをクリックするなどコンテンツ選択アクションを起こすと、アクセス情報として、コンテンツＩＤ、コンテンツアクセス時間、前アクセスコンテンツＩＤがランキング情報記憶部４に送信され、前コンテンツアクセス記憶部５に選択したコンテンツのコンテンツＩＤが格納される。
【００８０】
その後、ランキング情報記憶部４がコンテンツアクセス記憶部１０にアクセス情報として受信したコンテンツＩＤ，コンテンツアクセス時間、前アクセスコンテンツＩＤが記憶される。
【００８１】
その後、ランキング情報生成部３がコンテンツアクセス記憶部１０にアクセス情報を読み取りにいくことにより、ランキング情報が更新され、コンテンツ情報配信部２へ更新されたランキング情報が送信される。
【００８２】
また、上記の一連の動作をプログラムとして構築し、リアルタイムアクセス情報表示装置として利用されるコンピュータにインストールして、ＣＰＵ等の制御手段に実行させる、または、ネットワークを介して流通させることも可能である。
【００８３】
なお、本発明は、上記の実施の形態及び実施例に限定されることなく、特許請求の範囲内において種々変更・応用が可能である。
【産業上の利用可能性】
【００８４】
本発明は、コンテンツ情報とコンテンツに関する話題の可視化を行なうための技術に適用可能である。
【図面の簡単な説明】
【００８５】
【図１】本発明の原理を説明するための図である。
【図２】本発明の原理構成図である。
【図３】本発明の一実施の形態におけるリアルタイムアクセス情報表示装置の構成図である。
【図４】本発明の一実施の形態における動作のフローチャートである。
【図５】本発明の一実施例のコンテンツ配置画面の例である。
【図６】本発明の一実施例のランキング情報生成部における領域分割図である。
【図７】本発明の一実施例のズーム率“１２”の場合の表示例である。
【図８】本発明の一実施例のズーム率“１９”の場合の表示例である。
【符号の説明】
【００８６】
１  ランキング情報表示手段、ランキング情報表示部
２  コンテンツ情報配信部
３  アクセスランキング情報生成手段、ランキング情報生成部
４  ランキング情報記憶部
５  前コンテンツアクセス記憶部
６  コンテンツ可視化情報記憶部
７  コンテンツ情報記憶部
８  １次アクセスランキング記憶部
９  ２次アクセスランキング記憶部
１０  コンテンツアクセス記憶手段、コンテンツアクセス記憶部
１２  アクセスランキング記憶手段
２０  表示手段
【図１】
2006004278.tif 000013
【図２】
2006004278.tif 000014
【図３】
2006004278.tif 000015
【図４】
2006004278.tif 000016
【図５】
2006004278.tif 000017
【図６】
2006004278.tif 000018
【図７】
2006004278.tif 000019
【図８】
2006004278.tif 000020